(57)【要約】【課題】操作の習得が容易なタッチパネル付きディスプレイ装置を提供する。【解決手段】座標検出装置３によって検出された座標に応じてディスプレイ画面１１２における画像の表示を制御するタッチパネル付きディスプレイ装置であって、表示制御部４０１がディスプレイ画面１１３上にウィンドウを開いて画像を表示するか否かをウィンドウ画像判定部４０３が判定する。表示制御部４０１は、ウィンドウ画像判定部４０３によって表示制御部４０１がウィンドウを開いて画像を表示しないと判定された場合、自機の操作方法を教示するプログラムを起動することを促すバルーンメッセージを表示する。【選択図】      図４
2004220444.tif 000002
【特許請求の範囲】
【請求項１】
ディスプレイ画面と、
前記ディスプレイ画面上で指定された点の座標を検出する座標検出手段と、
前記座標検出手段によって検出された座標に応じて前記ディスプレイ画面における画像の表示を制御する表示制御手段と、を有するタッチパネル付きディスプレイ装置であって、
前記表示制御手段が前記ディスプレイ画面上にウィンドウを開いて画像を表示するか否かを判定するウィンドウ画像判定手段を備え、
前記表示制御手段は、前記ウィンドウ画像判定手段が前記表示制御手段がウィンドウを開いて画像を表示しないと判定した場合、自機の操作方法を教示するプログラムを起動することを促すガイダンス画像を表示することを特徴とするタッチパネル付きディスプレイ装置。
【請求項２】
前記表示制御手段は、前記ウィンドウ画像判定手段によって前記表示制御手段がウィンドウを開いて画像を表示すると判定された場合、表示されている前記ガイダンス画像を前記ディスプレイ画面上から消去することを特徴とする請求項１に記載のタッチパネル付きディスプレイ装置。
【請求項３】
前記表示制御手段は、前記ガイダンス画像としてバルーン・ヘルプを前記ディスプレイ画面に表示することを特徴とする請求項１または２に記載のタッチパネル付きディスプレイ装置。
【請求項４】
前記表示制御手段は、前記バルーン・ヘルプが表示された範囲内の座標を前記座標検出手段が検出した場合、自機の操作方法を教示するためのプログラムを起動することを特徴とする請求項３に記載のタッチパネル付きディスプレイ装置。
【請求項５】
前記表示制御手段によって起動されるプログラムは、オペレータの操作によって実行される表示制御の動作を保存するファイルを有し、該ファイルを開いて動作を表示することを特徴とする請求項１〜４のいずれか一つに記載のタッチパネル付きディスプレイ装置。
【請求項６】
前記表示制御手段は、自機の操作方法を教示するための前記プログラムを終了したタイミングで自機の操作におけるヘルプ・メッセージを表示することを特徴とする請求項４または５に記載のタッチパネル付きディスプレイ装置。
【請求項７】
ディスプレイ画面上で指定された点の座標を検出する座標検出手段と、前記座標検出手段によって検出された座標に応じて前記ディスプレイ画面における画像の表示を制御する表示制御手段と、を有するタッチパネル付きディスプレイ装置の表示制御方法であって、
前記表示制御手段が前記ディスプレイ画面上にウィンドウを開いて画像を表示するか否かを判定するウィンドウ画像判定工程と、
前記ウィンドウ画像判定工程において前記表示制御手段がウィンドウを開いて画像を表示しないと判定された場合、自機の操作方法を教示するプログラムを起動することを促すガイダンス画像を表示するガイダンス表示工程と、
前記ウィンドウ画像判定手段によって前記表示制御手段がウィンドウを開いて画像を表示すると判定された場合、表示されている前記ガイダンス画像を前記ディスプレイ画面上から消去するガイダンス画像を消去工程と、
を含むことを特徴とする表示制御方法。
【請求項８】
ディスプレイ画面と、前記ディスプレイ画面上で指定された点の座標を検出する座標検出手段と、前記座標検出手段によって検出された座標に応じて前記ディスプレイ画面における画像の表示を制御する表示制御手段と、を有するタッチパネル付きディスプレイ装置において実行される表示制御方法であって、
前記表示制御手段が前記ディスプレイ画面上にウィンドウを開いて画像を表示するか否かを判定するウィンドウ画像判定工程と、
前記座標検出手段が前記ディスプレイ画面上の予め定められた範囲内にある座標を検出し、かつ、前記ウィンドウ画像判定手段が前記表示制御手段がウィンドウを開いて画像を表示しないと判断した場合、前記範囲に対応する画像を前記ディスプレイ画面に表示する画像表示工程と、
を含むことを特徴とする表示制御方法をコンピュータに実行させるためのプログラム。
【請求項９】
前記ウィンドウ画像判定工程において前記表示制御手段がウィンドウを開いて画像を表示すると判定された場合、表示されている前記ガイダンス画像を前記ディスプレイ画面上から消去する画像消去工程をさらに含むことを特徴とする請求項８に記載のプログラム。
【請求項１０】
前記画像表示工程は、前記ガイダンス画像としてバルーン・ヘルプを前記ディスプレイ画面に表示することを特徴とする請求項８または９に記載のプログラム。
【請求項１１】
前記バルーン・ヘルプが表示された範囲内の座標を前記座標検出手段が検出した場合、自機の操作方法を教示するためのプログラムを起動する操作ガイダンス表示工程をさらに含むことを特徴とする請求項１０に記載のプログラム。
【請求項１２】
前記操作ガイダンス表示工程は、オペレータの操作によって実行される表示制御の動作を保存するファイルを開いて該動作を表示することを特徴とする請求項１１に記載のプログラム。
【請求項１３】
自機の操作方法を教示するための前記プログラムを終了したタイミングで自機の操作におけるヘルプ・メッセージを表示するヘルプメッセージ表示工程をさらに含むことを特徴とする請求項１１または１２に記載のプログラム。
【発明の詳細な説明】
【０００１】
【発明の属する技術分野】
この発明は、タッチパネル付きディスプレイ装置、表示制御方法およびその方法をコンピュータに実行させるためのプログラムに関する。
【０００２】
【従来の技術】
現在、ディスプレイとタッチパネルとが一体となったタッチパネル付きディスプレイ装置がある。タッチパネル付きディスプレイ装置は、ディスプレイ画面上に座標検出装置を設け、ディスプレイ画面に直接タッチした指やペン（指示体と記すものとする）が指定した座標を検出する。そして、検出された座標に対応するプログラムを起動し、ディスプレイ画面に表示される画像を制御している。
【０００３】
また、タッチパネル付きディスプレイ装置にあっては、オペレータによる操作が所定の条件を満たしたことを検出し、操作において生じた不具合を解消するようオペレータに案内するためのメッセージ（ヘルプ・メッセージ）を自動的に表示するものがある。このような構成には、例えば、同一の操作ボタンをオペレータが所定の回数以上連続して操作した場合、該当する操作ボタンの操作方法のヘルプファイルを表示させるものがある（例えば特許文献１参照）。また、オペレータと対話する機能を有し、対話中に操作ボタンが操作されてから経過した時間が所定の時間を超えたか否かを検出し、経過時間の所定時間超過が検出されたタイミングでヘルプ情報を表示するものがある（例えば特許文献２）。このようなタッチパネル付きディスプレイ装置は、いずれもオペレータが操作を誤る、あるいは操作に手間取った場合にヘルプメッセージを表示するものである。オペレータの誤操作、操作の手間取りは、タッチパネル付きディスプレイ装置の操作をオペレータが予め習得していれば防ぐことが可能である。
【０００４】
【特許文献１】
特開２０００−３０５６８４号公報（段落［００３６］〜［００３９］）
【特許文献２】
特開２０００−２２７８２６号公報（段落［００７３］〜［００７６］）
【０００５】
【発明が解決しようとする課題】
しかしながら、タッチパネル付きディスプレイ装置の多くは、会社や学校といった組織でプレゼンテーションや授業に使用され、複数のオペレータによって操作されている。このため、各オペレータのすべてがタッチパネル付きディスプレイ装置の操作を習得しているとは限らず、オペレータによっては操作マニュアルを充分読むことができない可能性もある。さらに、タッチパネル付きディスプレイ装置には、オペレータに操作方法を教示するためのガイダンス機能を持つものもある。しかしながら、このようなガイダンス機能の存在を知らないオペレータもおり、このような傾向は、タッチパネル付きディスプレイ装置の操作頻度が少ないオペレータほど顕著になると考えられる。
【０００６】
本願発明は、上記した点に鑑みてなされたものであり、オペレータにガイダンス機能の存在を知らせ、操作の習得が容易なタッチパネル付きディスプレイ装置、表示制御方法およびその方法をコンピュータに実行させるためのプログラムを提供することを目的とする。さらに、本願発明は、オペレータにガイダンス機能の存在を知らせるために表示される画像が表示される他の画像に影響することによってタッチパネル付きディスプレイ装置の操作性を低下させることを防ぐタッチパネル付きディスプレイ装置、表示制御方法およびその方法をコンピュータに実行させるためのプログラムを提供することを目的とする。
【０００７】
【課題を解決するための手段】
上記目的を達成するため、請求項１にかかるタッチパネル付きディスプレイ装置は、ディスプレイ画面と、前記ディスプレイ画面上で指定された点の座標を検出する座標検出手段と、前記座標検出手段によって検出された座標に応じて前記ディスプレイ画面における画像の表示を制御する表示制御手段と、を有するタッチパネル付きディスプレイ装置であって、前記表示制御手段が前記ディスプレイ画面上にウィンドウを開いて画像を表示するか否かを判定するウィンドウ画像判定手段を備え、前記表示制御手段は、前記ウィンドウ画像判定手段が前記表示制御手段がウィンドウを開いて画像を表示しないと判定した場合、自機の操作方法を教示するプログラムを起動することを促すガイダンス画像を表示することを特徴とする。
【０００８】
この請求項１に記載の発明によれば、ディスプレイ画面上に表示制御手段がウィンドウを開いて画像を表示するか否かを判定することができる。そして、表示制御手段は、ウィンドウ画像判定手段によって表示制御手段がウィンドウを開いて画像を表示しないと判定された場合、自機の操作方法を教示するプログラムを起動することを促すガイダンス画像を表示する。このため、自機の操作方法を教示するプログラムの存在をオペレータに知らせると共に、プログラムを起動して操作を習得することを促すことができる。さらに、ガイダンス画像の表示にあたり、表示制御手段がウィンドウを開いて画像を表示するか否かを判定し、ウィンドウを開いて画像を表示しないと判定した場合にのみガイダンス画像を表示するため、ガイダンス画像が他の画像の表示に影響することによってタッチパネル付きディスプレイ装置の操作性を低下させることを防ぐことができる。
【０００９】
請求項２に記載の発明にかかるタッチパネル付きディスプレイ装置は、前記表示制御手段が、前記ウィンドウ画像判定手段によって前記表示制御手段がウィンドウを開いて画像を表示すると判定された場合、表示されている前記ガイダンス画像を前記ディスプレイ画面上から消去することを特徴とする。
【００１０】
この請求項２に記載の発明によれば、表示制御手段がウィンドウを開いて画像を表示すると判定された場合に表示されているガイダンス画像をディスプレイ画面上から消去するため、ガイダンス画像が他の画像の表示に影響することによってタッチパネル付きディスプレイ装置の操作性を低下させることを防ぐことができる。
【００１１】
請求項３に記載の発明にかかるタッチパネル付きディスプレイ装置は、前記表示制御手段が、前記ガイダンス画像としてバルーン・ヘルプを前記ディスプレイ画面に表示することを特徴とする。
【００１２】
この請求項３に記載の発明によれば、ガイダンス画像としてバルーン・ヘルプをディスプレイ画面に表示するため、オペレータが視認しやすいガイダンス画像を表示することができる。
【００１３】
請求項４に記載の発明にかかるタッチパネル付きディスプレイ装置は、前記表示制御手段が、前記バルーン・ヘルプが表示された範囲内の座標を前記座標検出手段が検出した場合、自機の操作方法を教示するためのプログラムを起動することを特徴とする。
【００１４】
この請求項４に記載の発明によれば、比較的表示範囲が大きいバルーン・ヘルプにタッチすることによって自機の操作方法を教示するためのプログラムを起動することができる。このため、プログラム起動の操作を簡易にすることができる。
【００１５】
請求項５に記載の発明にかかるタッチパネル付きディスプレイ装置は、前記表示制御手段によって起動されるプログラムが、オペレータの操作によって実行される表示制御の動作を保存するファイルを有し、該ファイルを開いて動作を表示することを特徴とする。
【００１６】
この請求項５に記載の発明によれば、表示制御の動作を分かりやすくオペレータに示し、タッチパネル付きディスプレイ装置の操作性を高めることができる。
【００１７】
請求項６に記載の発明にかかるタッチパネル付きディスプレイ装置は、前記表示制御手段が、自機の操作方法を教示するための前記プログラムを終了したタイミングで自機の操作におけるヘルプ・メッセージを表示することを特徴とする。
【００１８】
この請求項６に記載の発明によれば、さらに、ヘルプメッセージの存在をオペレータに知らせてタッチパネル付きディスプレイ装置の操作方法の習得をいっそう促すことができる。
【００１９】
請求項７に記載の発明にかかる表示制御方法は、ディスプレイ画面上で指定された点の座標を検出する座標検出手段と、前記座標検出手段によって検出された座標に応じて前記ディスプレイ画面における画像の表示を制御する表示制御手段と、を有するタッチパネル付きディスプレイ装置の表示制御方法であって、前記表示制御手段が前記ディスプレイ画面上にウィンドウを開いて画像を表示するか否かを判定するウィンドウ画像判定工程と、前記ウィンドウ画像判定工程において前記表示制御手段がウィンドウを開いて画像を表示しないと判定された場合、自機の操作方法を教示するプログラムを起動することを促すガイダンス画像を表示するガイダンス表示工程と、前記ウィンドウ画像判定手段によって前記表示制御手段がウィンドウを開いて画像を表示すると判定された場合、表示されている前記ガイダンス画像を前記ディスプレイ画面上から消去するガイダンス画像を消去工程と、を含むことを特徴とする。
【００２０】
この請求項７に記載の発明によれば、ディスプレイ画面上に表示制御手段がウィンドウを開いて画像を表示するか否かを判定することができる。そして、ウィンドウ画像判定工程において表示制御手段がウィンドウを開いて画像を表示しないと判定された場合、自機の操作方法を教示するプログラムを起動することを促すガイダンス画像を表示する。このため、自機の操作方法を教示するプログラムの存在をオペレータに知らせると共に、プログラムを起動して操作を習得することを促すことができる。また、ガイダンス画像の表示にあたり、表示制御手段がウィンドウを開いて画像を表示するか否かを判定し、ウィンドウを開いて画像を表示しないと判定した場合にのみガイダンス画像を表示する。さらに、表示制御手段がウィンドウを開いて画像を表示すると判定された場合に表示されているガイダンス画像をディスプレイ画面上から消去するため、ガイダンス画像が他の画像の表示に影響することによってタッチパネル付きディスプレイ装置の操作性を低下させることを防ぐことができる。
【００２１】
請求項８に記載の発明にかかるコンピュータが実行可能なプログラムは、ディスプレイ画面と、前記ディスプレイ画面上で指定された点の座標を検出する座標検出手段と、前記座標検出手段によって検出された座標に応じて前記ディスプレイ画面における画像の表示を制御する表示制御手段と、を有するタッチパネル付きディスプレイ装置において実行される表示制御方法であって、前記表示制御手段が前記ディスプレイ画面上にウィンドウを開いて画像を表示するか否かを判定するウィンドウ画像判定工程と、前記座標検出手段が前記ディスプレイ画面上の予め定められた範囲内にある座標を検出し、かつ、前記ウィンドウ画像判定手段が前記表示制御手段がウィンドウを開いて画像を表示しないと判断した場合、前記範囲に対応する画像を前記ディスプレイ画面に表示する画像表示工程と、を含むことを特徴とする。
【００２２】
この請求項８に記載の発明によれば、ディスプレイ画面上に表示制御手段がウィンドウを開いて画像を表示するか否かを判定することができる。そして、ウィンドウ画像判定工程において表示制御手段がウィンドウを開いて画像を表示しないと判定された場合、自機の操作方法を教示するプログラムを起動することを促すガイダンス画像を表示する。このため、自機の操作方法を教示するプログラムの存在をオペレータに知らせると共に、プログラムを起動して操作を習得することを促すことができる。また、ガイダンス画像の表示にあたり、表示制御手段がウィンドウを開いて画像を表示するか否かを判定し、ウィンドウを開いて画像を表示しないと判定した場合にのみガイダンス画像を表示するため、ガイダンス画像が他の画像の表示に影響することによってタッチパネル付きディスプレイ装置の操作性を低下させることを防ぐことができる。
【００２３】
請求項９に記載の発明にかかるプログラムは、前記ウィンドウ画像判定工程において前記表示制御手段がウィンドウを開いて画像を表示すると判定された場合、表示されている前記ガイダンス画像を前記ディスプレイ画面上から消去する画像消去工程をさらに含むことを特徴とする。
【００２４】
この請求項９に記載の発明によれば、表示制御手段がウィンドウを開いて画像を表示すると判定された場合に表示されているガイダンス画像をディスプレイ画面上から消去するので、ガイダンス画像が他の画像の表示に影響することによってタッチパネル付きディスプレイ装置の操作性を低下させることを防ぐことができる。
【００２５】
請求項１０に記載の発明にかかるプログラムは、前記画像表示工程が、前記ガイダンス画像としてバルーン・ヘルプを前記ディスプレイ画面に表示することを特徴とする。
【００２６】
この請求項１０に記載の発明によれば、ガイダンス画像としてバルーン・ヘルプをディスプレイ画面に表示するため、オペレータが視認しやすいガイダンス画像を表示することができる。
【００２７】
請求項１１に記載の発明にかかるプログラムは、前記バルーン・ヘルプが表示された範囲内の座標を前記座標検出手段が検出した場合、自機の操作方法を教示するためのプログラムを起動する操作ガイダンス表示工程をさらに含むことを特徴とする。
【００２８】
この請求項１１に記載の発明によれば、比較的表示範囲が大きいバルーン・ヘルプにタッチすることによって自機の操作方法を教示するためのプログラムを起動することができる。このため、プログラム起動の操作を簡易にすることができる。
【００２９】
請求項１２に記載の発明にかかるプログラムは、前記操作ガイダンス表示工程が、オペレータの操作によって実行される表示制御の動作を保存するファイルを開いて該動作を表示することを特徴とする。
【００３０】
この請求項１２に記載の発明によれば、表示制御の動作を分かりやすくオペレータに示し、タッチパネル付きディスプレイ装置の操作性を高めることができる。
【００３１】
請求項１３に記載の発明にかかるプログラムは、自機の操作方法を教示するための前記プログラムを終了したタイミングで自機の操作におけるヘルプ・メッセージを表示するヘルプメッセージ表示工程をさらに含むことを特徴とする。
【００３２】
この請求項１３に記載の発明によれば、さらに、ヘルプメッセージの存在をオペレータに知らせてタッチパネル付きディスプレイ装置の操作方法の習得をいっそう促すことができる。
【００３３】
【発明の実施の形態】
以下に添付図面を参照して、この発明にかかるタッチパネル付きディスプレイ装置、表示制御方法およびその方法をコンピュータに実行させるためのプログラムの好適な実施の形態を詳細に説明する。
【００３４】
図１は、本実施の形態のタッチパネル付きディスプレイ装置の構成を説明するための図である。図示したタッチパネル付きディスプレイ装置は、ディスプレイ画面１１３と、ディスプレイ画面１１３上で指定された点の座標を検出する座標検出装置３と、座標検出装置３によって検出された座標に応じてディスプレイ画面における画像の表示を制御する表示制御手段であるホスト装置４（本実施の形態ではＰＣ（Ｐｅｒｓｏｎａｌ  Ｃｏｍｐｕｔｅｒ）を利用している）とを有している。ディスプレイ画面１１３は、ホスト装置４によって制御された画像データ（Ｒ，Ｇ，Ｂ）を液晶画面やＰＤＰ（Ｐｌａｓｍａ  Ｄｉｓｐｌａｙ  Ｐａｎｅｌ）として構成される。
【００３５】
なお、本明細書中では、座標入力装置１と座標検出装置３とを合わせた構成をタッチパネルとも記す。また、本実施の形態のタッチパネル付きディスプレイ装置には、ディスプレイ画面１１３が座標入力装置１の座標入力面１１２と重なって設けられている。座標入力面とは、座標検出装置３が座標を検出できる領域であって、本実施の形態のタッチパネル付きディスプレイ装置はディスプレイ画面１１３に直接タッチする構成であるから、座標入力面１１２は仮想的な面である。
【００３６】
座標入力装置１は、後述する光学検出器を備えていて、ディスプレイ画面１１３上のタッチを光学的に検出する。光学検出器が検出したデータは座標検出装置３に入力し、座標検出装置３が、タッチされた座標入力面１１２上の点（タッチ点）ｔの座標（ｘ，ｙ）を算出する。算出される座標は、ディスプレイ画面１１３の画素数（例えばｘ：１０２４，ｙ：７６８）によって表され、１０ｍｓ、あるいは２０ｍｓといった時間で周期的にホスト装置４に出力する。なお、座標検出装置３のタッチ点の座標の算出については、後に詳述する。
【００３７】
また、座標検出装置３は、後述する光学検出器が検出したデータを入力するための左光学検出器Ｉ／Ｆ１０１、右光学検出器Ｉ／Ｆ１０２、座標検出装置３全般を制御する中央演算装置１０４、中央演算装置１０４で使用されるプログラムが格納されているＲＯＭ１０５、中央演算装置１０４の作業データが一時保存されるＲＡＭ１０６、周期的に時間を計測して中央演算装置１０４に入力するタイマ（ＴＩＭＥＲ）１０７とを備えている。
【００３８】
ホスト装置４は、ＰＣ（Ｐｅｒｓｏｎａｌ  Ｃｏｍｐｕｔｅｒ）であって、Ｗｉｎｄｏｗｓ（Ｒ）、Ｍａｃｉｎｔｏｓｈ（Ｒ）、Ｌｉｎｕｘ（Ｒ）といった汎用的なＯＳを搭載しており、画像データの制御は、ＯＳの制御下で実行されている。そして、汎用的なＯＳの制御下で実行されるプログラム（ドライバソフト）であるドライバ１０８と、共通の汎用的なＯＳの制御下で動作するアプリケーションＡＰＬ１１１と、画像データが一時的に保存される画像ＲＡＭ１１５とを有している。
【００３９】
ここで、本実施の形態のタッチパネル付きディスプレイ装置におけるタッチ点の検出および座標の算出について説明する。図２は、本実施の形態の座標入力装置１を示す図である。座標入力装置１は、図中の縦方向の長さがＨ、横の長さがＷの矩形の座標入力面１１２と、座標入力面の三辺に設けられた再帰性反射部材２０１と、再帰性反射部材２０１が設けられていない１辺の両端に設けられた左光学検出器２０２Ｌ、右光学検出器２０２Ｒとを備えている。
【００４０】
左光学検出器２０２Ｌ、右光学検出器２０２Ｒは、いずれも半導体レーザである光源（図示せず）と、例えばＣＣＤ（Ｃｈａｒｇｅｄ  Ｃｏｕｐｌｅｄ  Ｄｅｖｉｃｅ）を利用した受光部（図示せず）とを一体化したユニットである。光源は、座標入力面１１２の全域に光源を要とする扇状に光を照射する。左光学検出器２０２Ｌ、右光学検出器２０２Ｒが扇状の光を照射することによって、レーザ光は座標入力面１１２の全域に照射される。
【００４１】
座標入力面１１２に照射された光は、再帰性反射部材２０１に反射される。再帰性反射部材２０１は、光を１８０度の角度で反射する部材であって、例えば図中に示す照射光ｐ１を反射して照射光ｐ１の光軸に平行な光軸を通る反射光ｐ２とする。座標入力面上１１２に光を遮るものが存在しない場合、左光学検出器２０２Ｌ、右光学検出器２０２Ｒ、は照射された光のすべての反射光を受光する。しかし、例えば指やペンが座標入力面１１２にタッチしたとき、タッチ点を通る光が左光学検出器２０２Ｌ、右光学検出器２０２Ｒに受光されない。
【００４２】
左光学検出器２０２Ｌ、右光学検出器２０２Ｒによって検出される光の情報は、アナログデータとして座標検出装置３に入力する。このとき、座標検出装置３は、扇状に照射された光のうち、受光部の光を受光しなかった位置で本来受光されるはずの光の光軸から左光学検出器２０２Ｌ、右光学検出器２０２Ｒの受光部を通る直線と各受光部とタッチ点ｔとを通る直線との角度（光遮蔽角度）θＬ、θＲとを求める。タッチ点ｔの座標（ｘ，ｙ）は、角度θＬ、θＲを使って以下のように算出される。
【００４３】
ｘ＝Ｗ×ｔａｎθＲ／（ｔａｎθＬ＋ｔａｎθＲ）
ｙ＝Ｈ−Ｗ×ｔａｎθＬ×ｔａｎθＲ／（ｔａｎθＬ＋ｔａｎθＲ）
【００４４】
次に、座標検出装置３で検出されるデータ（検出データ）とマウスデータとについて説明する。座標検出装置３は、座標入力装置１に対してなされたタッチのタッチ点のアナログデータを入力し、タッチ点の座標を算出する。そして、座標のデータとタッチの有無や状態（タッチ、デタッチ、移動・停止タッチ）とを示すデータ（検出データ）をドライバ１０８に与える。検出データは、ホスト装置４のドライバ１０８によってマウスデータに変換される。
【００４５】
図３（ａ）は、検出データの形式を説明するための図、図３（ｂ）はマウスデータの形式を説明するための図である。図３（ａ）に示したように、検出データは、タッチ点のｘ座標、ｙ座標、さらにタッチ点の座標ステータスの情報を含んでいる。座標ステータスは、検出データが、タッチ、デタッチ、移動・停止タッチのいずれであるかを１または０によって示すものである。なお、座標検出装置３がタッチ、デタッチ、移動・停止タッチを検出した場合、各タッチを示すフィールドに１が設定される。
【００４６】
また、図３（ｂ）に示したように、マウスデータは、タッチ点のｘ座標、ｙ座標、さらにマウスステータスの情報を含んでいる。マウスステータスは、マウスの右ボタンのＯＮ、ＯＦＦ、左ボタンのＯＮ、ＯＦＦを１または０によって示すものである。タッチ、デタッチ、移動・停止タッチは、マウスの右ボタンのＯＮ、ＯＦＦ、左ボタンのＯＮ、ＯＦＦのうちいずれかと対応付けて設定されている。
【００４７】
なお、本実施の形態では、座標入力面１１２に対して指やペンが非接触状態から接触したことをタッチといい、タッチがなされた位置を示す点をタッチ点という。また、タッチ点から指やペンが離れたことをデタッチといい、デタッチすることなくタッチ点が移動することを移動・停止タッチという。なお、移動・停止タッチは、マウスでいうドラッグの操作に相当する。
【００４８】
以上述べた構成は、以下のように動作する。すなわち、座標検出装置３は、タッチ点の座標を算出し、タッチ、デタッチなどの座標ステータスと共にホスト装置４に引き渡す。ホスト装置４のドライバ１０８は、汎用的なＯＳの制御下で座標検出装置３から検出データをＲＳ２３２ＣあるいはＵＳＢを介して受け取り、マウスデータに変換してマウスＩ／Ｆに渡す。マウスデータは、さらにＡＰＬ１１１に渡される。
【００４９】
ＡＰＬ１１１は、マウスＩ／Ｆから受け取ったマウスデータに含まれる座標に関する情報やボタンのオン、オフの情報にしたがって予め座標に設定されている機能を実行する。ここでいう機能とは、例えば、ドラッグの軌跡を特定の色や太さの線で描画する文字描画、図形描画、罫線描画をいう。また、後述するように、画像の表示制御とは、ディスプレイ画面１１３に表示すべき画像をマウスデータにしたがって変更する動作をいう。
【００５０】
ＡＰＬ１１１の機能の実行によって作成された画像データは、Ｒ，Ｇ，Ｂで表される形式で画像ＲＡＭ１１５に展開されて表示装置２に送出する。表示装置２は、画像データをディスプレイ画面１１３に表示する。
【００５１】
図４は、図１に示したＡＰＬ１１１のうち、本発明にかかる構成を説明するための機能ブロック図である。ホスト装置４は、例えばＭｉｃｒｏｓｏｆｔ  Ｗｏｒｄ（商品名）、Ｍｉｃｒｏｓｏｆｔ  Ｅｘｃｅｌ（商品名）といった図示しないプログラムを複数有している。ＡＰＬ１１１は、ドライバ１０８から入力するマウスデータにしたがって複数のＡＰＬのうち、いずれかを起動する表示制御部４０１、ＡＰＬの起動によって表示制御部４０１がディスプレイ画面１１３上にウィンドウを開いて画像を表示するか否かを判定するウィンドウ画像判定手部４０３を備えている。
【００５２】
表示制御部４０１は、ウィンドウ画像判定手部４０３によって表示制御部４０１がウィンドウを開いて画像を表示しないと判定された場合、自機の操作方法を教示するプログラムを起動することを促すガイダンス画像をディスプレイ画面１１３に表示する。また、画像判定手部４０３によって表示制御部４０１がウィンドウを開いて画像を表示すると判定された場合、表示されている予め定められた範囲に対応する画像をディスプレイ画面１１３上から消去する。
【００５３】
なお、上記した図４の構成では、例えばホスト装置４に画像データ４０５を保存しておき、表示制御部４０１がウィンドウを開いて画像を表示しないとウィンドウ画像判定手部４０３が判定した場合、画像データ４０５のうちガイダンス画像を読み出して画像ＲＡＭ１１５に出力している。本実施の形態では、ガイダンス画像としてバルーン・ヘルプ（バルーンメッセージともいう）を表示するものとした。
【００５４】
図５は、本実施の形態のガイダンスキーの操作によってなされるガイダンス表示のシーケンスについて説明する図である。本実施の形態のタッチパネル付きディスプレイ装置は、図５（ａ）に示すタスクバー５０３を表示する。タスクバー５０３には、タッチパネル付きディスプレイ装置を電子黒板として使用するモードに切り替える電子黒板キー５０３ａ、すでに表示されている画像の上に透明ウィンドウを開いて画像を上書する上書キー５０３ｂ、タッチパネル付きディスプレイ装置をマルチメディアボード（ネットワークによって配信されたデータやＣＤやＤＶＤといった記録媒体に記録されたデータを表示するツール）として使用する際のデータを編集するためのＭＢ編集キー５０３ｃ、タッチパネル付きディスプレイ装置の操作方法を教示するガイダンスキー５０３ｄ、タッチパネル付きディスプレイ装置の操作を終了する終了キー５０３ｅがある。
【００５５】
表示制御部４０１は、タッチパネル付きディスプレイ装置の起動（オン）時、ウィンドウ画像判定部４０３によってウィンドウを開いて画像を表示するプログラムが起動されていないか否か判定する（例えばＷｉｎｄｏｗｓ（Ｒ）であればウィンドウを開いて画像を表示する）。そして、ウィンドウ画像判定部４０３がウィンドウを開いて画像を表示するプログラムが起動されていないと判断した場合、画像データ４０５のうちバルーンメッセージ５０１を表示する画像を読み出して画像ＲＡＭ１１５に出力する。この結果、オペレータは、「これをタッチしてください。タッチがマウス左クリックとなります。黒板として使うこと、プレゼンテーションの効率化を図ることができます」といったメッセージを受け取ることができる。
【００５６】
また、本実施の形態のタッチパネル付きディスプレイ装置は、表示制御部４０１がウィンドウを開いて画像を表示するとウィンドウ画像判定部４０３によって判定された場合、表示されているガイダンス画像をディスプレイ画面１１３上から消去する。
【００５７】
以上の処理により、本実施の形態は、目につきやすいバルーンメッセージによってガイダンスの存在をオペレータに知らせ、操作方法を教示するプログラムを起動することを促すことができる。また、このとき、ウィンドウを開いて画像を表示するプログラムが起動されている場合に限ってバルーンメッセージを表示し、バルーンメッセージの表示後もウィンドウを開いて画像を表示するプログラムが起動される場合にはバルーンメッセージを消去する。このため、バルーンメッセージが画像の視認、あるいは操作の妨げになることをなくし、バルーンメッセージの表示によってタッチパネル付きディスプレイ装置の操作性が低下することをなくすことができる。
【００５８】
オペレータがバルーンメッセージ５０１にしたがってバルーンメッセージ５０１が表示された範囲内にタッチした場合、表示制御部４０１は、マウスデータｔによってバルーンメッセージ５０１上の点がタッチされたことを検出する。そして、自機の操作方法を教示するためのプログラム（ガイダンスプログラム）を起動する。さらに、本実施の形態では、表示制御部４０１が、ガイダンスキー５０３ｄが表示された範囲内の座標を座標検出装置３が検出した場合にも、バルーンメッセージ５０１上の点がタッチされた場合と同様にガイダンスプログラムを起動するものとした。ガイダンスプログラムの起動により、図５（ｂ）に示すツールガイダンス画面５０５が表示される。
【００５９】
ツールガイダンス画面５０５は、ホワイトボードとしての操作方法を表示させるための支援ツールボタン５０５ａ、上書きの操作方法を表示させるための支援ツールボタン５０５ｂ、ＭＢ編集の操作方法を表示させるための支援ツールボタン５０５ｃを有している。オペレータは、知りたい操作方法に該当する支援ツールボタンにタッチし、各操作方法をオペレータに教示するためのプログラムを起動することができる。
【００６０】
また、各支援ツールボタンのタッチによって起動されるプログラムは、オペレータの操作によって実行される表示制御の動作を保存するファイルを有している。そして、このファイルを開いて動作を表示することにより、オペレータに各機能の操作方法を教示している。
【００６１】
すなわち、各支援ツールボタン５０５ａ、５０５ｂ、５０５ｃには、「←タッチしてください実際に操作できます」のメッセージが付されている。オペレータがメッセージにしたがって各支援ツールボタン５０５ａ、５０５ｂ、５０５ｃのうちいずれかにタッチすると、各々に対応する機能を使って操作を実行するプログラムが起動する。例えば、支援ツールボタン５０５ａにオペレータがタッチした場合、タッチパネル付きディスプレイ装置を電子黒板として使用する際の操作ガイダンス画面５０７を表示する。操作ガイダンス画面５０７では、ホワイトボードに対してなされる操作によって行われる基本的な動作が実行されるファイルを表示し、オペレータに実際の動作を見せている（図５（ｃ））。また、本実施の形態では、オペレータが操作ガイダンス画面５０７の案内にそって電子黒板における操作（ペン描画）を実行し、操作を習得することも可能にしている。
【００６２】
図６は、電子黒板用の操作におけるペン描画以外の操作ガイダンス画面を例示する図である。操作ガイダンス画面６０３は、消しゴムを使った操作を案内する画面であり、操作ガイダンス画面６０５は、次ページの操作を案内する画面である。また、操作ガイダンス画面６０７は、小文字を入力する際の操作を案内する画面であり、操作ガイダンス画面６０９はディスプレイ画面１１３に表示された画像を印刷する際の操作を案内するための画面、操作ガイダンス画面６１１はヘルプを読み出す際の操作を案内するための画面である。以上の各画面は、続きボタン６１５にタッチすることによって順次表示される。また、操作ガイダンス画面６１１は、各操作ガイダンス画面の終了ボタン６１７にタッチした場合にも表示される。
【００６３】
さらに、本実施の形態のタッチパネル付きディスプレイ装置は、自機の操作方法を教示するためのプログラムを終了したタイミングで自機の操作におけるヘルプ・メッセージを表示する。すなわち、本実施の形態では、図６に示した操作ガイダンス画面のうち操作ガイダンス画面６１１の表示が終了したタイミングでヘルプ画面６１３を表示し、ヘルプメッセージを表示している。なお、ヘルプ画面６１３で表示されるヘルプ・メッセージは、ホワイトボード、上書き、ＭＢといった各支援ツールで使用されるヘルプメッセージである。
【００６４】
図７は、以上述べた本実施の形態のタッチパネル付きディスプレイ装置でなされる表示制御方法を説明するためのフローチャートであって、特にホスト装置４のドライバ１０８によってなされる処理を示している。座標入力装置１は、１０ｍｓ程度の周期で座標入力面１１２上の指やペン（座標指示物）を検知する。座標検出装置３は、座標入力装置１から座標指示物を検知したデータが入力したか否か判断する（ステップＳ７０１）。この結果、データが座標入力面１１２に対するタッチを示すデータを入力した場合（ステップＳ７０１：Ｙｅｓ）、このタッチをマウスの右クリックまたは左クリックに割り当てる。
【００６５】
すなわち、検知されたタッチが通常のタッチ（ステップＳ７０２：Ｙｅｓ）、または移動・停止タッチ（先に検出された座標と同位置の座標として検出される）であれば（ステップＳ７０３：Ｙｅｓ）、座標はＯＮマウスデータとしてマウスＩ／Ｆに通知される。ドライバ１０８は、タッチ、移動または停止タッチが右クリックに割り当てられているか否かをドライバコントロールパネル値の設定に基づいて判断し（ステップＳ７０８）、右クリックに割り当てられている場合には（ステップＳ７０８：Ｙｅｓ）、検出された座標において右ボタンオンがなされたとして右ボタンＯＮ座標をＡＰＬ１１１に通知する（ステップＳ７０９）。一方、右クリックに割り当てられていない場合には（ステップＳ７０８：Ｎｏ）、検出された座標において左ボタンオンがなされたとして左ボタンＯＮ座標をＡＰＬ１１１に通知する（ステップＳ７１０）。
【００６６】
また、ステップＳ７０３において、検出された座標が移動座標あるいは停止座標でないとドライバ１０８が判断した場合（ステップＳ７０３：Ｎｏ）、座標がデタッチを示すデタッチ座標であるか否か判断する（ステップＳ７０４）。デタッチ座標でない場合（ステップＳ７０４：Ｎｏ）、ステップＳ７０１に戻って座標データが入力されたか否か判断する。
【００６７】
また、ステップＳ７０４において、デタッチ座標であると判断された場合（ステップＳ７０４：Ｙｅｓ）、ドライバ１０８は、タッチの操作が右クリックに割り当てられているか否かをドライバコントロールパネル値の設定に基づいて判断する（ステップＳ７０５）。そして、右クリックに割り当てられている場合には（ステップＳ７０５：Ｙｅｓ）、検出された座標において右ボタンオフがなされたとして右ボタンＯＦＦ座標をＡＰＬ１１１に通知する（ステップＳ７０６）。一方、右クリックに割り当てられていない場合には（ステップＳ７０５：Ｎｏ）、検出された座標において左ボタンオフがなされたとして左ボタンＯＦＦ座標をＡＰＬ１１１に通知する（ステップＳ７０７）。なお、以上の処理において、ＡＰＬ１１１に右ボタンのオン、またはオフ、左ボタンのオン、またはオフを通知した後、ドライバ１０８は、ステップＳ７０１に戻って次の座標データが入力したか否か判断する。
【００６８】
図８、図９は、本実施の形態の画像表示制御方法であって、特に操作ガイダンス表示の方法を説明するためのフローチャートである。表示制御部４０１は、タッチパネル付きディスプレイ装置の起動時、ステータスをタスクバーに設定し（ステップＳ８０１）、タスクバー５０３を表示する（ステップＳ８０２）。そして、マウスデータをドライバ１０８から受け取ったか否か判断し（ステップＳ８０３）、マウスデータの入力がない場合（ステップＳ８０３：Ｎｏ）、タスクバー５０３が表示されているか否か判断する（ステップＳ８０４）。
【００６９】
ステップＳ８０４の判断の結果、タスクバー５０３が表示されている場合（ステップＳ８０４：Ｙｅｓ）、ウィンドウを開いて画像を表示するＡＰＬ（画面表示ＡＰＬ）が起動されている（ある）か否か判断する（ステップＳ８０５）。画面表示ＡＰＬが起動されている場合（ステップＳ８０５：Ｙｅｓ）、ＡＰＬ１１１は、ステップＳ８０３に戻って次のマウスデータの入力に備える。一方、画面表示ＡＰＬが起動されていない場合、ＡＰＬ１１１の表示制御部４０１は、ステータスをバルーン表示に設定し（ステップＳ８０６）、バルーンメッセージ５０１を表示する（ステップＳ８０７）。
【００７０】
また、ステップＳ８０４において、タスクバー５０３が表示されていないと判断された場合（ステップＳ８０４：Ｎｏ）、表示制御部４０１は、すでにバルーンメッセージ５０１が表示されているか否か判断し（ステップＳ８０９）、さらに、画像表示ＡＰＬが起動されるか否か判断する（ステップＳ８１０）。この結果、画像表示ＡＰＬが起動されない場合（ステップＳ８１０：Ｎｏ）、ＡＰＬ１１１は、ステップＳ８０３に戻って次のマウスデータの入力に備える。一方、バルーンメッセージ５０１が表示されていて（ステップＳ８０９：Ｙｅｓ）、さらに画像表示ＡＰＬが起動される場合（ステップＳ８１０：Ｙｅｓ）、表示制御部４０１は、ステータスをタスクバー３０５の表示に設定し（ステップＳ８１１）、バルーンメッセージ５０１を消去する（ステップＳ８１２）。
【００７１】
また、ステップＳ８０３において、マウスデータの入力がなされたと判断された場合（ステップＳ８０３：Ｙｅｓ）、表示制御部４０１は、タスクバー５０３が表示されているか否か判断する（ステップＳ８１３）。そして、マウスデータが示す座標がガイダンスキー５０３ｄ上にあるか否か判断し（ステップＳ８１４）、ガイダンスキー５０３ｄ上にない場合にはタスクバー５０３の各キーを制御する（ステップＳ８１７）。一方、ステップＳ８１４においてマウスデータが示す座標がガイダンスキー５０３ｄ上にあると判断された場合（ステップＳ８１４：Ｙｅｓ）、表示制御部４０１は、ステータスをツールガイダンス表示に設定する（ステップＳ８１５）。この結果、ディスプレイ画面１１３に、ツールガイダンス画面５０５が表示される（ステップＳ８１６）。
【００７２】
さらに、ステップＳ８１３においてタスクバー３０５が表示されていないと判断された場合（ステップＳ８１３：Ｎｏ）、表示制御部４０１は、バルーンメッセージ５０１が表示さえているか否か判断する（ステップＳ１）。そして、バルーンメッセージ５０１が表示されている場合（ステップＳ８１８：Ｙｅｓ）、マウスデータが示す座標がバルーンメッセージ５０１上にあるか否か判断する。座標がバルーンメッセージ５０１上にない場合、表示制御部４０１は、ステップＳ８０３に戻って次のマウスデータの入力に備える。
【００７３】
また、ステップＳ８１９において、マウスデータがバルーンメッセージ５０１上の座標を示す場合（ステップＳ８１９：Ｙｅｓ）、表示制御部４０１は、バルーンメッセージ５０１を消去する（ステップＳ８２０）。そして、ステータスをツールガイダンス表示に設定し（ステップＳ８２１）、ツールガイダンス画面５０５を表示する。
【００７４】
ところで、ステップＳ８１８においてバルーンメッセージ５０１が表示されていないと判断された場合（ステップＳ８１８：Ｎｏ）、表示制御部４０１は、ツールガイダンス画面５０５が表示されているか否か判断する（ステップＳ８２３）。ツールガイダンス画面５０５が表示されている場合（ステップＳ８２３：Ｙｅｓ）、入力したマウスデータが支援ツールボタンのいずれかの上にあるか否か判断する（ステップＳ８２４）。座標が支援ツールボタン上にある場合（ステップＳ８２４：Ｙｅｓ）、ステータを該当する支援ツールの操作ガイダンス表示に設定する（ステップＳ８２５）。この結果、ツールガイダンス画面５０５が消去され（ステップＳ８２６）、操作ガイダンス画面のうち最初に表示される画面が表示される（ステップＳ８２７）。そして、表示制御部４０１は、該当する支援ツールのプログラムを起動し（ステップＳ８２８）、支援ツールの基本的な動作が実行されるファイルを表示する。以上の処理終了後、表示制御部４０１は、ステップＳ８０３に戻って次のマウスデータの入力に備える。
【００７５】
また、ステップＳ８２４において、マウスデータがいずれの支援ツールボタンの上にもないと判断された場合（ステップＳ８２４：Ｎｏ）、表示制御部４０１は、マウスデータがツールガイダンス画面５０５上の終了ボタン上の座標を示すか否か判断する（ステップＳ８２９）。マウスデータが終了ボタン上の座標を示す場合（ステップＳ８２９：Ｙｅｓ）、ステータスをタスクバー表示に設定し（ステップＳ８３０）、ツールガイダンス画面５０５を消去する（ステップＳ８３１）。
【００７６】
また、ステップＳ８２３において、ツールガイダンス画面５０５が表示されていないと判断された場合（ステップＳ８２３：Ｎｏ）、表示制御部４０１は、操作ガイダンス画面のいずれかが表示されているか否か判断する（ステップＳ８３２）。この結果、操作ガイダンス画面が表示されていない場合（ステップＳ８３２：Ｎｏ）、表示制御部４０１は、ステップＳ８０３に戻って次のマウスデータの入力に備える。
【００７７】
ステップＳ８３２において、ツールガイダンス画面５０５が表示されていると判断された場合（ステップＳ８３２：Ｙｅｓ）、マウスデータが示す座標が操作ガイダンス画面上の続きボタン上にあるか否か判断する（ステップＳ８３３）。そして、続きボタン上にあると判断された場合（ステップＳ８３３：Ｙｅｓ）、次に表示図べき操作ガイダンスの画面を表示する（ステップＳ８３４）。また、マウスデータが示す座標が続きボタン上にない場合（ステップＳ８３３：Ｎｏ）、座標が終了ボタン上にあるか否か判断する（ステップＳ８３５）。マウスデータが示す座標が終了ボタン上にもない場合（ステップＳ８３５：Ｎｏ）、表示制御部４０１は、ステップＳ８０３に戻って次のマウスデータの入力に備える。
【００７８】
また、表示制御部４０１は、マウスデータが示す座標が終了ボタン上にあると判断した場合（ステップＳ８３５：Ｙｅｓ）、操作ガイダンスの処理が途中（予め設定されたローテーションで操作ガイダンス画面を表示する場合、１回のローテーション内で表示されていない画面がある）であるか否か判断する（ステップＳ８３６）。操作ガイダンスの処理が途中であれば（ステップＳ８３６：Ｙｅｓ）、ヘルプを読み出す際の操作を案内する操作ガイダンス画面を表示する（ステップＳ８３７）。
【００７９】
さらに、表示制御部４０１は、ステップＳ８３６において操作ガイダンスが完了した（１回のローテーション内で最後に表示すべき画面（本実施の形態ではヘルプを読み出す際の操作を案内する操作ガイダンス画面）を表示した）と判断した場合（ステップＳ８３６：Ｎｏ）、ステータスをタスクバーの表示に設定する（ステップＳ８３８）。この処理により、ツールガイダンス画面５０５が消去される（ステップＳ１）。さらに、表示制御部４０１は、各支援ツールのヘルプを表示し、ステップＳ８０３に戻って次のマウスデータの入力に備える。
【００８０】
尚、本実施形態のタッチパネル付きディスプレイ装置で実行される表示制御方法をコンピュータに実行させるためのプログラム（表示制御プログラム）は、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。また、本実施形態の表示制御プログラムを、インターネット等のネットワークに接続されたコンピュータ上に格納し、ネットワーク経由でダウンロードさせることにより提供するように構成しても良い。
【００８１】
【発明の効果】
以上説明したように、請求項１にかかる発明は、自機の操作方法を教示するプログラムの存在をオペレータに知らせると共に、プログラムを起動して操作を習得することを促すという効果を奏する。さらに、ガイダンス画像が他の画像の表示に影響することによってタッチパネル付きディスプレイ装置の操作性を低下させることを防ぐことが可能なタッチパネル付きディスプレイ装置を提供できるという効果を奏する。
【００８２】
請求項２に記載の発明は、請求項１に記載の発明において、ガイダンス画像が他の画像の表示に影響することによってタッチパネル付きディスプレイ装置の操作性を低下させることを防ぐという効果を奏する。
【００８３】
請求項３に記載の発明は、請求項１または２に記載の発明において、オペレータが視認しやすいガイダンス画像を表示することにより、タッチパネル付きディスプレイ装置の操作性をいっそう高めるという効果を奏する。
【００８４】
請求項４に記載の発明は、請求項３に記載の発明において、プログラム起動の操作を簡易にし、タッチパネル付きディスプレイ装置の操作性をいっそう高めるという効果を奏する。
【００８５】
請求項５に記載の発明は、請求項１〜４のいずれか一つに記載の発明において、表示制御の動作を理解しやすく示し、タッチパネル付きディスプレイ装置の操作性を高めるという効果を奏する。
【００８６】
請求項６に記載の発明は、請求項４または５に記載の発明において、タッチパネル付きディスプレイ装置の操作方法の習得をオペレータに促し、タッチパネル付きディスプレイ装置の操作性をいっそう高めるという効果を奏する。
【００８７】
請求項７に記載の発明は、自機の操作方法を教示するプログラムの存在をオペレータに知らせると共に、プログラムを起動して操作を習得することを促すという効果を奏する。さらに、ガイダンス画像が他の画像の表示に影響することによってタッチパネル付きディスプレイ装置の操作性を低下させることを防ぐ表示制御方法を提供できるという効果を奏する。
【００８８】
請求項８に記載の発明は、自機の操作方法を教示するプログラムの存在をオペレータに知らせると共に、プログラムを起動して操作を習得することを促すという効果を奏する。さらに、ガイダンス画像が他の画像の表示に影響することによってタッチパネル付きディスプレイ装置の操作性を低下させることを防ぐ表示制御方法をコンピュータに実行させるためのプログラムを提供できるという効果を奏する。
【００８９】
請求項９に記載の発明は、請求項８に記載の発明において、ガイダンス画像が他の画像の表示に影響することによってタッチパネル付きディスプレイ装置の操作性を低下させることを防ぐという効果を奏する。
【００９０】
請求項１０に記載の発明は、請求項８または９に記載の発明において、オペレータが視認しやすいガイダンス画像を表示することにより、タッチパネル付きディスプレイ装置の操作性をいっそう高めるという効果を奏する。
【００９１】
請求項１１に記載の発明は、請求項１０に記載の発明において、プログラム起動の操作を簡易にし、タッチパネル付きディスプレイ装置の操作性をいっそう高めるという効果を奏する。
【００９２】
請求項１２に記載の発明は、請求項１１に記載の発明において、表示制御の動作を理解しやすく示し、タッチパネル付きディスプレイ装置の操作性を高めるという効果を奏する。
【００９３】
請求項１３に記載の発明は、請求項１１または１２に記載の発明において、タッチパネル付きディスプレイ装置の操作方法の習得をオペレータに促し、タッチパネル付きディスプレイ装置の操作性をいっそう高めるという効果を奏する。
【図面の簡単な説明】
【図１】本発明の一実施の形態のタッチパネル付きディスプレイ装置の構成を説明するための図である。
【図２】図１に示した座標入力装置を示す図である。
【図３】本発明の一実施の形態のデータ形式を説明するための図である。
【図４】図１に示したＡＰＬ１のうち、本発明にかかる構成を説明するための機能ブロック図である。
【図５】本発明の一実施の形態のガイダンス表示のシーケンスについて説明する図である。
【図６】本発明の一実施の形態の操作ガイダンス画面を例示する図である。
【図７】本発明の一実施の形態の表示制御方法を説明するためのフローチャートである。
【図８】本発明の一実施の形態の表示制御方法を説明するための他のフローチャートである。
【図９】本発明の一実施の形態の表示制御方法を説明するための他のフローチャートである。
【符号の説明】
１  座標入力装置
２  表示装置
３  座標検出装置
４  ホスト装置
１０４  中央演算装置
１０８  ドライバ
１１２  座標入力面
１１３  ディスプレイ画面
１１１  アプリケーション
１０１  左光学検出器Ｉ／Ｆ
１０２  右光学検出器Ｉ／Ｆ
１１５  画像ＲＡＭ
２０１  再帰性反射部材
２０２Ｒ  右光学検出器
２０２Ｌ  左光学検出器
３０５  タスクバー
４０１  表示制御部
４０３  ウィンドウ画像判定手部
４０５  画像データ
５０１  バルーンメッセージ
５０３  タスクバー
５０３ａ  電子黒板キー
５０３ｂ  上書キー
５０３ｃ  ＭＢ編集キー
５０５  ツールガイダンス画面
５０５ａ〜ｃ  支援ツールボタン
５０７  操作ガイダンス画面
６０３，６０５，６０７，６０９，６１１  操作ガイダンス画面
６１３  ヘルプ画面
６１５  続きボタン
６１７  終了ボタン
【図１】
2004220444.tif 000003
【図２】
2004220444.tif 000004
【図３】
2004220444.tif 000005
【図４】
2004220444.tif 000006
【図５】
2004220444.tif 000007
【図６】
2004220444.tif 000008
【図７】
2004220444.tif 000009
【図８】
2004220444.tif 000010
【図９】
2004220444.tif 000011